(57)【要約】      （修正有）【課題】構造が簡単で、ほとんどのレジャーチェア等に装着することができ、装着に時間と手間がかからない、低価格のチェア用サンバイザーを提供する。【解決手段】日光を遮断する遮光部４と、遮光部４を支持する略Ｕ状のパイプ（第１支持部）２と、Ｕ状パイプ２を略水平に支持する略Ｌ状のパイプ（第２支持部）３と、Ｕ状パイプ２とＬ状パイプ３との固定角度を調節して装着する角度調整部６と、Ｌ状パイプ３とレジャーチェアの支柱のパイプとを装着する装着部５とを備える。装着部５は、Ｌ状パイプ３を把持するための凹部と、レジャーチェアにおける背部支柱パイプを把持するための大凹部とを有する把持部と、大凹部に嵌合するために外側に円柱状の凸部を有する径調節用パッドとを備える。【選択図】図１
0003133786.tif 000002
【実用新案登録請求の範囲】
【請求項１】
日光を遮断する遮光部と、
前記遮光部を支持する第１支持部と、
前記第１支持部を支持する第２支持部と、
前記第１支持部と前記第２支持部とを固定角度を調節して装着する角度調節部と、
前記第２支持部と外部の支柱とを装着する装着部と
を備えることを特徴とするサンバイザー。
【請求項２】
前記装着部は、
前記第２支持部を把持する第１凹部と、内面に小凹部を有し、前記支柱を把持する第２凹部とを有する把持部と、
前記小凹部に嵌合する凸部を外面に有し、前記第２凹部に嵌合する径調節用パッドと
を備えることを特徴とする請求項１記載のサンバイザー。
【考案の詳細な説明】
【技術分野】
【０００１】  本考案は、主に屋外でレジャーチェア等に装着する日除け器具に関する。
【背景技術】
【０００２】  従来、レジャーチェアやサマーベッド等の屋外使用の椅子に簡単に装着できる日よけがいくつか考案されている。例えば、あるサマーベッド用日よけは、撓曲自在な芯材で長円リング体を形成すると共に、リング体内方に遮光布を張設し、長円の短尺端縁近傍に連結部を設け、長尺縁中間に紐体を連結してなる日よけ部材と、装着対象の椅子の背もたれ部分に覆着できる下縁開口の袋状本体の両側部並びに頂部中間に、日よけ部材の連結部並びに紐体の連結止着を可能とした連結部を設けてなる背凭れ装着部材とで構成してなる（特許文献１参照）。【０００３】  また、サンバイザーとその支持部があらかじめチェアの背もたれ部等に固定されているサンバイザー一体型チェアも考案されている。
【特許文献１】  特開２００２−２０９６６８号公報
【考案の開示】
【考案が解決しようとする課題】
【０００４】  しかし、従来の装着型のチェア用サンバイザーは、構造が複雑で、装着することができるレジャーチェアが装着部の構造上制限されたり、装着できる場合であっても装着に時間と手間がかかったり、価格が高価になるという問題等があるため、一般に普及するまでには至っていない。【０００５】  また、サンバイザー一体型のチェアは、装着する手間はない代わりに、サンバイザーの部分を折りたたんでもかさばってしまうので保管や運搬する際に不便であり、サンバイザーが不要な天候であっても外すことができず、さらに一般的に高価であるという問題がある。【０００６】  そこで、本考案は、構造が簡単で、ほとんどのレジャーチェア等に装着することができ、装着に時間と手間がかからない、低価格のサンバイザーを提供することを目的とする。
【課題を解決するための手段】
【０００７】  上記の目的を達成するため、本考案に係るサンバイザーは、日光を遮断する遮光部と、前記遮光部を支持する第１支持部と、前記第１支持部を支持する第２支持部と、前記第１支持部と前記第２支持部とを固定角度を調節して装着する角度調節部と、前記第２支持部と外部の支柱とを装着する装着部とを備える。【０００８】  さらに、前記装着部は、前記第２支持部を把持する第１凹部と、内面に小凹部を有し、前記支柱を把持する第２凹部とを有する把持部と、前記小凹部に嵌合する凸部を外面に有し、前記第２凹部に嵌合する径調節用パッドとを備える。
【考案の効果】
【０００９】  本考案に係るサンバイザーによれば、遮光部、第１支持部、第２支持部、角度調節部及び装着部という部品のみで構成することで、レジャーチェア等に簡単に装着することができる。また、製造コストを低くすることができ、低価格で実現可能である。【００１０】  また、装着部を上記のような把持部と径調節用パッドとを含む構成にすることにより、本考案に係るサンバイザーを装着するチェアの支柱の様々な径に対応可能となり、ほとんどのレジャーチェアに時間と手間をかけずに装着することができる。
【考案を実施するための最良の形態】
【００１１】  以下では、本考案を実施するための最良の形態について図面を参照しながら説明を行う。
【実施例】
【００１２】  図１は、本考案の実施例１に係るチェア用サンバイザーの斜視図である。チェア用サンバイザー１は、日光を遮断する遮光部４と、遮光部４を支持する略Ｕ状のパイプ（第１支持部）２と、Ｕ状パイプ２を略水平に支持する略Ｌ状のパイプ（第２支持部）３と、Ｕ状パイプ２とＬ状パイプ３との固定角度を調節して装着する角度調整部６と、Ｌ状パイプ３とレジャーチェアの支柱のパイプとを装着する装着部５とを備える。【００１３】  Ｕ状パイプ２は、材質がアルミニウムであり、遮光部４に縫い合わされた２つのＵ状パイプ挿通部９に両直線部が挿通され、遮光部４を支持している。【００１４】  Ｌ状パイプ３は、材質がアルミニウムであり、その短辺部とＵ状パイプ２の中央部とが角度調整部６により固定されている。通常、使用者はＬ状パイプ３の長辺部の端部近傍において装着部５により、本チェア用サンバイザー１をレジャーチェアの支柱のパイプに装着する。【００１５】  以上の構成によるチェア用サンバイザー１の総重量は約７５０ｇと軽量であるので、装着及び運搬が容易である。【００１６】  図２は、本考案の実施例１に係るチェア用サンバイザー１のレジャーチェア装着時の全体斜視図である。【００１７】  レジャーチェア７における背部支柱パイプ８に、チェア用サンバイザー１が装着部５により装着されている。このようにすれば、つり、運動会、プール等のレジャーのためにアウトドアでレジャーチェア７に座っている利用者は、炎天下であっても日光を遮光することができ、快適に過ごすことができる。【００１８】  レジャーチェア７の設置方向や時間の経過により太陽の位置が変わった場合には、角度調整部６により遮光部４の水平からの角度を変えたり、または、装着部５の装着位置を調節して遮光部４の高さを上下に調節したりすることで、利用者にとって適切な位置に簡便に日陰をつくることができる。【００１９】  図３は、本考案の実施例１に係るチェア用サンバイザーの構成部品の平面図である。図３（ａ）はＵ状パイプ２、図３（ｂ）はＬ状パイプ３、図３（ｃ）は遮光部４の裏面をそれぞれ示している。Ｕ状パイプ２のサイズについては、縦約６５０ｍｍ、横約５１０ｍｍ、径は約１６ｍｍ、厚０．７ｍｍである。Ｌ状パイプ３の長辺部の長さ（縦）は約６５０ｍｍ、短辺部は約３６０ｍｍ、径及び厚はＵ状パイプ２と同様である。【００２０】  略長方形状を有する遮光部４においては、四隅に扇型の切り欠きを有しており、長辺に沿って裏側の両側にＵ状パイプ２の両直線部を挿通するための挿通部９が縫い合わされている。生地がポリエステルであり、裏ＰＶＣコーティングが施され、紫外線を遮断する。サイズは縦約８２０ｍｍ、横約６００ｍｍである。【００２１】  図４は、本考案の実施例１に係るチェア用サンバイザーの装着部５の分解斜視図である。装着部５は、把持部１１、２１、径調節用パッド３１、４１、雄ねじ５１及び雌ねじ６１からなる。把持部１１と２１、径調節用パッド３１と４１とはそれぞれ全く同一形状の部品である。【００２２】  把持部１１、２１は、ＡＢＳ樹脂製であり、横面の中央付近に位置するねじ挿通孔１５、２５の両側に、縦軸方向に平行に、軸垂直断面が半円状の凹部（第１凹部）１３、２３と大凹部（��２凹部）１２、２２とをそれぞれ有している。凹部（第１凹部）１３、２３は、Ｌ状パイプ３を把持するためのものであり、径は約１６ｍｍである。大凹部（第２凹部）１２、２２はレジャーチェア７における背部支柱パイプ８を把持するためのものであり、径は約２２ｍｍである。把持部１１、２１のサイズについては、縦約４０ｍｍ、横約５６ｍｍ、厚さ約１７ｍｍである。【００２３】  径調節用パット３１、４１は、ＡＢＳ樹脂製であり、背部支柱パイプ８の直径が大きい場合（約２２ｍｍ）には使用しないが、直径が小さい場合（約１６ｍｍ）に使用するものである。径調節用パッド３１、４１は、大凹部（第２凹部）１２、２２に嵌合するように軸垂直断面が半円の弧状であり、外側の径は約２２ｍｍで、内側の凹部３２、４２の径は約１６ｍｍである。縦約４０ｍｍ、横約２１ｍｍ、厚さ約１４ｍｍである。【００２４】  また、径調節用パッド３１、４１は外側の中央部に円柱状の凸部３３、４３をそれぞれ有している。それに対応するように、把持部１１、２１の大凹部（第２凹部）１２、２２の中央部に円柱状の小凹部１４、２４が設けられている。この構造により、径調節用パッド３１、４１の使用時に凸部３３、４３が小凹部１４、２４に嵌合することで、チェア用サンバイザー１の装着中に径調節用パッド３１、４１が脱落することがないので、装着作業が容易となる。凸部３３、４３及び小凹部１４、２４の高さは約３ｍｍ、直径約３ｍｍである。【００２５】  なお、径調節用パッド３１、４１のうちのいずれか一方のみを使用することにより、約１６〜２２ｍｍの間の中間的な径を有する背部支柱パイプ８にも対応して装着することが可能である。【００２６】  雄ねじ５１は、ステンレス製であり、丸型の頭の付け根に略直方体部５２を有している。一方、雌ねじ６１は、土台部６２がステンレス製であり、その外側にＡＢＳ樹脂製の蝶型の締め付け用突起部６３、６３を有している。【００２７】  装着時には、雄ねじ５１は把持部１１、２１のねじ挿通孔１５、２５を通され、先端を雌ねじ６１で締め付けられる。円筒状のねじ挿通孔１５、２５の外側の入り口付近には、雄ねじ５１の略直方体部５２に嵌合するように略直方体の形状を有する凹部が形成されているので、締め付け時に雄ねじ５１が回転することなく、締め付け用の器具を一切使用せずに、使用者が手で雌ねじ６１を締め付けることができる。【００２８】  図５（ａ）は、本考案の実施例１に係るチェア用サンバイザー１の装着部５の把持部１１の軸垂直方向（水平方向）の断面図である。図５（ｂ）は、ねじ挿通孔１５の挿通方向の平面図である。【００２９】  なお、角度調整部６も上記構成の装着部５と同様の構成となっており、径調節用パッド３１、４１を使用して、Ｕ状パイプ２とＬ状パイプ３とを固定する。これにより、角度調整部６は、遮光部４の水平からの固定角度を無段階で調節することができる。【００３０】  このように、本考案に係るチェア用サンバイザー１は、極めて簡単な構造の部品のみで構成することで、製造コストを低くすることができ、低価格で実現可能である。また、本考案に係るチェア用サンバイザー１を装着するレジャーチェアの支柱の様々な径に対応可能となり、ほとんどのレジャ���チェアに時間と手間をかけずに装着することができる。【００３１】  また、Ｕ状パイプ２を使用しているので、遮光部４の前側にはパイプがなく、利用者が立ち上がるとき及び座るときに誤って頭部をＵ状パイプ２に衝突させることを防止している。【００３２】  なお、本考案に係るチェア用サンバイザーは、以上述べた実施例の構成や構造に限定されることはない。例えば、遮光部、Ｕ状パイプ、Ｌ状パイプ、角度調整部及び装着部の全部又はいずれか２つ以上を一体とする構成にしてもよい。装着部の各凹部の構造については、軸垂直断面が多角形状であってもよい。径調節用パッドについては、さらにいくつかの厚みや断面形状のバリエーションを有する複数のパッドを用意する構成にしてもよい。小凸部については、円柱状ではなく多角形状等であってもよく、また、径調節用パッドが小凸部を複数有する構造でもよい。
【産業上の利用可能性】
【００３３】  本考案は、屋外においてレジャーチェア等に装着するサンバイザーに適用できる。
【図面の簡単な説明】
【００３４】
【図１】  本考案の実施例１に係るチェア用サンバイザーの斜視図である。
【図２】  本考案の実施例１に係るチェア用サンバイザーのレジャーチェア装着時の全体斜視図である。
【図３】  本考案の実施例１に係るチェア用サンバイザーの構成部品の平面図である。
【図４】  本考案の実施例１に係るチェア用サンバイザーの装着部の分解斜視図である。
【図５】  本考案の実施例１に係るチェア用サンバイザーの装着部の把持部の断面図等である。
【符号の説明】
【００３５】１  チェア用サンバイザー                ２  Ｕ状パイプ
３  Ｌ状パイプ                          ４  遮光部
５  装着部                              ６  角度調整部
７  レジャーチェア                      ８  レジャーチェアの背部支柱パイプ
９  遮光部におけるＵ状パイプ挿通部      １１、２１  把持部
１２、２２  大凹部（第２凹部）          １３、２３  凹部（第１凹部）
１４、２４  小凹部                      １５、２５  挿通孔
３１、４１  径調節用パッド              ３２、４２  径調節用パッドの凹部
３３、４３  径調節用パッドの凸部        ５１  雄ねじ
５２  雄ねじの略直方体部                ６１  雌ねじ
６２  雌ねじの土台部                    ６３  締め付け用突起部
【図１】
0003133786.tif 000003
【図２】
0003133786.tif 000004
【図３】
0003133786.tif 000005
【図４】
0003133786.tif 000006
【図５】
0003133786.tif 000007